(57)【要約】【課題】温風の圧損又は熱損が少なく、設置に要するスペースが小さい局部温風乾燥装置を提供すること。【解決手段】先方に温風の噴出口１ａが設けられ後方に噴出口１ａと連通する開口１ｂが設けられた乾燥ノズル１と、乾燥ノズル１を収容位置から噴出口１ａが乾燥対象に向かって温風を噴出することが可能な使用位置（図２参照）まで往復動させる駆動手段２と、乾燥ノズル１に温風を供給する温風供給手段３と、一側が温風供給手段３に接続され他側に温風供給手段３から取り入れた温風を吹き出す吹出し口４ａが設けられたダクト４と、を備え、乾燥ノズル１が図１に示す収納位置にある場合、開口１ｂは吹出し口４ａと対向一致せず温風供給手段３と不通であり、乾燥ノズル１が図２に示す使用位置にある場合、開口１ｂは吹出し口４ａと対向一致して温風供給手段３と連通する。【選択図】図１
2007205141.tif 000002
【特許請求の範囲】
【請求項１】
先方に温風の噴出口が設けられ後方に前記噴出口と連通する開口が設けられた乾燥ノズルと、
前記乾燥ノズルを収容位置から前記噴出口が乾燥対象に向かって温風を噴出することが可能な使用位置まで往復動させる駆動手段と、
前記乾燥ノズルに温風を供給する温風供給手段と、を備え、
前記乾燥ノズルが収納位置にある場合、前記開口は前記温風供給手段と不通であり、前記乾燥ノズルが使用位置にある場合、前記開口は前記温風供給手段と連通する構造を備える、ことを特徴とする局部温風乾燥装置。
【請求項２】
一側が前記温風供給手段に接続され他側に該温風供給手段から取り入れた温風を吹き出す吹出し口が設けられたダクトと、を備え、
前記乾燥ノズルが収納位置にある場合、前記開口は前記吹出し口と対向一致せず前記温風供給手段と不通であり、前記乾燥ノズルが使用位置にある場合、前記開口は前記吹出し口と対向一致して前記温風供給手段と連通する構造を備える、ことを特徴とする請求項１記載の局部温風乾燥装置。
【請求項３】
前記乾燥ノズルにおいて、前期噴出口の先側に、該噴出口の開口面から突出する方向に沿って壁を設けたことを特徴とする請求項１記載の局部温風乾燥装置。
【請求項４】
前記乾燥ノズルにおいて、前期噴出口の上流に、温風の流路を下流側に向かって次第に絞る絞りを設けたことを特徴とする請求項１記載の局部温風乾燥装置。
【請求項５】
前記乾燥ノズルが前記使用位置に移動後、前記温風供給手段に温風の供給を開始させる制御手段を有することを特徴とする請求項１記載の局部温風乾燥装置。
【請求項６】
少なくとも前記乾燥ノズル、前記駆動手段及び前記温風供給手段がケース本体に搭載されることを特徴とする請求項１記載の局部温風乾燥装置。
【請求項７】
前記ケース本体は、便座と一体となっていることを特徴とする、請求項６記載の局部温風乾燥装置。
【請求項８】
前記ケース本体は、便座が枢着されることを特徴とする、請求項６記載の局部温風乾燥装置。
【発明の詳細な説明】
【技術分野】
【０００１】
本発明は、局部温風乾燥装置に関し、特に、ケース本体に搭載可能な局部温風乾燥装置に関する。
【背景技術】
【０００２】
特許文献１には、便器内に出没する局部乾燥用の乾燥ノズルと、前記乾燥ノズルを出没させるシリンダと、便器外に設置され前記乾燥ノズルに温風を供給する温風ファンユニットと、前記シリンダの後端部に接続され該シリンダ内を通じて前記乾燥ノズルに温風を送るための可とう性のホースと、を有する衛生洗浄器の温風乾燥装置が開示されている。
【０００３】
特許文献２には、便座に送風機及び送風ダクトを内蔵し、送風ダクトの先端を便器内に出没自在な温風ノズルとした乾燥用温風供給装置が開示されている。送風機と送風ダクト（温風ノズル）は常時連通している。
【０００４】
特許文献３には、便器内に出没する乾燥ノズルと、前記乾燥ノズルを駆動するシリンダと、を有し、前記乾燥ノズルと共にスライドする配管を通じて該乾燥ノズルに温風を供給する衛生洗浄装置、又、便器内に出没する乾燥ノズルと、前記乾燥ノズルを駆動するシリンダと、を有し、前記シリンダの後端部を通じて前記乾燥ノズルに温風を供給する衛生洗浄装置がそれぞれ開示されている。
【０００５】
【特許文献１】特開昭６０-２１２５３５号公報（請求項４、第４図）
【特許文献２】特開昭６０-２１５９３５号公報（第１図、第２図）
【特許文献３】特開２００３−２３９３６１号公報（図２、図７）
【発明の開示】
【発明が解決しようとする課題】
【０００６】
特許文献１の温風乾燥装置のように、ホースをシリンダの後端部に接続する場合、ホースが座屈しないようホースの曲げＲを十分に確保したり、ホースの肉厚を十分に確保する必要があるため、ホースの配置に要するスペースが大きくなるという問題がある。また、便器の後側にはスペースに余裕がないため、ホースの取り回しも制限を受ける。さらに、ホースを用いることにより、温風が流れる流路長さが長くなり、温風の圧損や熱損が大きくなるという問題がある。
【０００７】
特許文献２の乾燥用温風供給装置のように、ダクトの先端を温風ノズルとした場合、ダクトを、送風ダクトが配置された便座側部から便座下面後部まで形成する必要があるため、ダクトが占領するスペースが大きくなるという問題がある。
【０００８】
特許文献３の衛生洗浄装置のように、可動な乾燥ノズルの後端部に温風供給配管を接続する場合には、ノズルの移動に伴い配管も移動するため、配管の移動スペースを確保する必要がある。一方、シリンダの後端部に温風供給配管を接続する場合には、温風が流れる流路長さが長くなり、温風の圧損や熱損が大きくなるという問題がある。
【０００９】
本発明の目的は、温風の圧損又は熱損が少なく、設置に要するスペースが小さい局部温風乾燥装置を提供することである。
【課題を解決するための手段】
【００１０】
本発明は、第１の視点において、先方に温風の噴出口が設けられ後方に前記噴出口と連通する開口が設けられた乾燥ノズルと、前記乾燥ノズルを収容位置から前記噴出口が乾燥対象に向かって温風を噴出することが可能な使用位置まで往復動させる駆動手段と、前記乾燥ノズルに温風を供給する温風供給手段と、を備え、前記乾燥ノズルが収納位置にある場合、前記開口は前記温風供給手段と不通であり、前記乾燥ノズルが使用位置にある場合、前記開口は前記温風供給手段と連通する構造を備える、ことを特徴とする局部温風乾燥装置を提供する。
【発明の効果】
【００１１】
本発明によれば、乾燥ノズル収納時には、乾燥ノズルの開口と温風供給手段（或いはダクトの温風吹出し口）とが切り離され、乾燥ノズルが使用位置まで移動した際に、前記開口と温風供給手段が連通（或いはダクトの温風吹出し口が対向一致）して、温風供給手段から乾燥ノズルの噴出口までの流路が連通する。
【００１２】
本発明の効果を下記に例示する。
（１）ノズルストローク分の流路長さが短縮できるので、庄損、熱損を軽減できる。
（２）乾燥ノズルに近接して温風供給手段を配置出来るので、装置全体の設置スペースをコンパクト化できる。また、設置場所の自由度が高い。
（３）ホースを用いずに、温風供給手段から乾燥ノズルに温風を供給できるため、設置スペースが小さく、圧損又は熱損も少ない。
（４）可動部が少ないため、設置スペースが小さい。
【発明を実施するための最良の形態】
【００１３】
本発明の実施の形態に係る局部温風供給装置は、一側が前記温風供給手段に接続され他側に該温風供給手段から取り入れた温風を吹き出す吹出し口が設けられたダクトと、を備え、前記乾燥ノズルが収納位置にある場合、前記開口は前記吹出し口と対向一致せず前記温風供給手段と不通であり、前記乾燥ノズルが使用位置にある場合、前記開口は前記吹出し口と対向一致して前記温風供給手段と連通する構造を備える。乾燥ノズルの開口が移動するため、ダクトは不動でよく、便座に搭載しても設置に要するスペースは小さくてよい。
【００１４】
本発明の実施の形態に係る局部温風供給装置は、前記乾燥ノズルにおいて、前期噴出口の先側に、該噴出口の開口面から突出する方向に沿って壁を設けたことを特徴とする。これによって、温風の吹出し方向を制御して、局部に十分な温風を当てることができる。
【００１５】
本発明の実施の形態に係る局部温風供給装置は、前記乾燥ノズルにおいて、前期噴出口の上流に、温風の流路を下流側に向かって次第に絞る絞りを設けたことを特徴とする。これによって、温風の吹出し方向を制御して、局部に十分な温風を当てることができる。
【００１６】
本発明の実施の形態に係る局部温風供給装置は、前記乾燥ノズルが前記使用位置に移動後、前記温風供給手段に温風の供給を開始させる制御手段を有することを特徴とする。乾燥ノズルと温風供給手段とが連通していない場合は、温風の供給を停止させることにより、省エネルギーが達成される。
【００１７】
本発明の実施の形態に係る局部温風供給装置は、少なくとも前記乾燥ノズル、前記駆動手段及び前記温風供給手段、好ましくはダクトがケース本体に搭載される。この装置は可動部が少なくコンパクトに構成できるため、便座に搭載することが容易であり、これによって温風の流路長さも短縮される。
【００１８】
本発明の実施の形態に係る局部温風供給装置は、乾燥スイッチ投入により、乾燥ノズルを使用位置（突出位置）に移動させる制御回路と、前記使用位置移動後に温風供給を開始する制御回路とを含む。
【００１９】
本発明の実施の形態に係る局部温風供給装置は、乾燥終了時は、温風供給を停止した後に乾燥ノズルを収納位置に戻す制御回路を備える。
【００２０】
本発明の実施の形態に係る局部温風供給装置は、乾燥ノズル先端部に、該乾燥ノズルの噴出口と鉛直方向に壁を設ける。
【００２１】
本発明の実施の形態に係る局部温風供給装置は、乾燥ノズルの内部流路断面積が、噴出口の直前で下流側に向かって次第に絞られる流路構造をもつ。
【００２２】
本発明の実施の形態に係る局部温風供給装置において、前記使用位置は、おしり位置及び／又はビデ位置である。
【００２３】
本発明の実施の形態に係る局部温風供給装置において、前記温風供給手段からの温風風量は強弱させられる。
【００２４】
本発明の実施の形態に係る局部温風供給装置において、前記ケース本体は、便座と一体となっていることを特徴とする。
【００２５】
本発明の実施の形態に係る局部温風供給装置において、前記ケース本体は、便座が枢着されることを特徴とする。
【実施例１】
【００２６】
図面を参照して、本発明の一実施例を説明する。
【００２７】
図１を参照すると、本発明の一実施例に係る局部温風乾燥装置は、便座と一体のケース本体１０上にコンパクトに搭載され、先方に温風の噴出口１ａが設けられ後方に噴出口１ａと連通する開口１ｂが設けられた乾燥ノズル１と、乾燥ノズル１を収容位置から噴出口１ａが乾燥対象に向かって温風を噴出することが可能な使用位置（図２参照）まで往復動させる駆動手段２と、乾燥ノズル１に温風を供給する温風供給手段３と、一側が温風供給手段３に接続され他側に温風供給手段３から取り入れた温風を吹き出す吹出し口４ａが設けられたダクト４と、を備える。
【００２８】
乾燥ノズル１が図１に示す収納位置にある場合、開口１ｂは吹出し口４ａと対向一致せず温風供給手段３と不通であり、乾燥ノズル１が図２に示す使用位置にある場合、開口１ｂは吹出し口４ａと対向一致して温風供給手段３と連通する。
【００２９】
図１及び図４を参照して、乾燥ノズル１は、ガイドスペース２ｄ上に斜め方向に移動可能に搭載されている。ガイドスペース２ｄの側部には、乾燥ノズル１の駆動手段２が配置されている。駆動手段２は、モータ２ａ、モータ２ａの回転軸に接続された第１のギア２ｂ、第１のギア２ｂと噛合する第２のギア２ｃ、乾燥ノズル１の下面に設けられ第２のギア２ｃと噛合するラック１ｃ（図８参照）を有する。
【００３０】
図１、図５及び図６を参照すると、乾燥ノズル１の側部には、温風供給手段３が配置されている。乾燥ノズル１と温風供給手段３の間には、ダクト４が配置されている。温風供給手段３は、送風機３ａと、送風機３ａとダクト４の間に配置された加熱機３ｂから構成されている。
【００３１】
図１、図３及び図８を参照すると、乾燥ノズル１の開口１ｂは上方に向けて開口し、ダクト４の吹出し口４ａは下方に向けて開口し、温風は最初、開口１ｂから斜め下方に向かって流れる。このように、温風は、上方から乾燥ノズル１に供給され、さらに、斜め下方に流れるため、圧損が軽減される。
【００３２】
図８を参照すると、乾燥ノズル１の噴出口１ａは、上方に向かって開口している。図９及び図１０は、噴出口１ａ付近の流路構造の変形例を示す図である。
【００３３】
図９を参照すると、第１の変形例に係る乾燥ノズル１においては、噴出口１ａの先側に、噴出口１ａの開口面から突出する方向に沿って壁１ｄが設けられている（乾燥ノズル先端部に、該乾燥ノズルの噴出口と鉛直方向に壁を設ける）。これによって、温風の吹出し方向を制御して、局部に多くの温風を当てることができる。
【００３４】
図１０を参照すると、第２の変形例に係る乾燥ノズル１において、噴出口１ａの上流に、温風の流路を下流側に向かって次第に絞る絞り１ｅが設けられている（乾燥ノズルの内部流路断面積が、噴出口の直前で下流側に向かって次第に絞られる流路構造をもつ）。これによって、温風の吹出し方向を制御して、局部に多くの温風を当てることができる。
【００３５】
次に、図１に示した本発明の一実施例に係る局部温風乾燥装置の動作を説明する。図１１は、図１に示した本発明の一実施例に係る局部温風乾燥装置の動作を説明するためのフローチャートである。
【００３６】
図１、図２及び図１１を参照すると、乾燥スイッチが投入されると（ステップ１）、駆動手段２は乾燥ノズル１を図１に示す初期（収納）位置から使用位置まで突出させる（ステップ２）。これによって、乾燥ノズル１の噴出口１ａとダクト４の吹出し口４ａが対向一致し、乾燥ノズル１と温風供給手段３が連通する。ここで、温風供給手段３が始動され、送風機３ａのファンモータと加熱機３ｂ（図５参照）のヒータが通電される（ステップ３、４）。乾燥停止スイッチが投入されるか（ステップ５）、一定時間経過すると（ステップ６）、温風供給手段３は停止され（ステップ７、８）、駆動手段２によって乾燥ノズル１は収納され（ステップ９）、乾燥ノズル１の噴出口１ａとダクト４の吹出し口４ａとの対向一致が解除され、乾燥ノズル１と温風供給手段３が不通となり、乾燥終了となる。
【００３７】
なお、本実施例においては、ケース本体１０は便座と一体のものを採用しているが、周知のように、便座が回動可能に枢着された形式のケース本体に本発明の局部温風乾燥装置を搭載してもよい。
【産業上の利用可能性】
【００３８】
本発明の局部温風乾燥装置は、ケース本体に搭載され、人体の局部を乾燥する装置として好適に利用される。
【図面の簡単な説明】
【００３９】
【図１】本発明の一実施例に係る局部温風乾燥装置の外観図である。
【図２】図１の動作図である。
【図３】図１の乾燥ノズルを示す部分図である。
【図４】図１の駆動手段を示す部分図である。
【図５】図１のダクト及び温風供給手段を示す部分図である。
【図６】図１の温風供給手段を示す部分図である。
【図７】図２の部分拡大動作図である。
【図８】図７のVIII−VIII断面摸式図である。
【図９】図８の乾燥ノズルの第１の変形例を示す部分図である。
【図１０】図８の乾燥ノズルの第２の変形例を示す部分図である。
【図１１】図１に示した本発明の一実施例に係る局部温風乾燥装置の動作を説明するためのフローチャートである。
【符号の説明】
【００４０】
１    乾燥ノズル
２    駆動手段
３    温風供給手段
４    ダクト
１０    ケース本体
１ａ    噴出口
１ｂ    開口
１ｃ    ラック
１ｄ    壁
１ｅ    絞り
２ａ    モータ
２ｂ    第１のギア
２ｃ    第２のギア
２ｄ    ガイドスペース
３ａ    送風機
３ｂ    加熱機
４ａ    吹出し口
【図１】
2007205141.tif 000003
【図２】
2007205141.tif 000004
【図３】
2007205141.tif 000005
【図４】
2007205141.tif 000006
【図５】
2007205141.tif 000007
【図６】
2007205141.tif 000008
【図７】
2007205141.tif 000009
【図８】
2007205141.tif 000010
【図９】
2007205141.tif 000011
【図１０】
2007205141.tif 000012
【図１１】
2007205141.tif 000013